(57)【要約】      （修正有）【課題】複数の吸着タンクのメンテナンス工数の増加を抑制できる二酸化炭素施用装置を提供する。【解決手段】燃焼排ガスに含まれる二酸化炭素を農業用ハウスＡ内に供給するように構成される二酸化炭素施用装置１００であって、複数の吸着タンク６ａ，６ｂ，６ｃ，６ｄと、流路１１と、を備える。複数の吸着タンクは、燃焼排ガス中の二酸化炭素を吸着する吸着材が内部に配置されたタンクである。流路は、燃焼排ガスを複数の吸着タンクに供給し、複数の吸着タンクを通過した燃焼排ガスを複数の吸着タンクの下流側に供給する流路である。複数の吸着タンクは、第１の吸着タンク６ａと、少なくとも１つ以上の第２の吸着タンク６ｂ，６ｃ，６ｄと、から構成されている。第１の吸着タンクは、流路において少なくとも１つ以上の第２の吸着タンクの上流に配置されている。【選択図】図１
2019041639.tif 000002
【特許請求の範囲】
【請求項１】
燃焼排ガスに含まれる二酸化炭素を農業用ハウス内に供給するように構成される二酸化炭素施用装置であって、
前記燃焼排ガス中の二酸化炭素を吸着する吸着材が内部に配置された複数の吸着タンクと、
前記燃焼排ガスを前記複数の吸着タンクに供給し、前記複数の吸着タンクを通過した前記燃焼排ガスを前記複数の吸着タンクの下流側に供給する流路と、
を備え、
前記複数の吸着タンクは、第１の吸着タンクと、少なくとも１つ以上の第２の吸着タンクと、から構成されており、
前記第１の吸着タンクは、前記流路において前記少なくとも１つ以上の第２の吸着タンクの上流に配置されている、二酸化炭素施用装置。
【請求項２】
請求項１に記載の二酸化炭素施用装置であって、
前記少なくとも１つ以上の第２の吸着タンクは、複数の第２の吸着タンクである、二酸化炭素施用装置。
【請求項３】
請求項２に記載の二酸化炭素施用装置であって、
前記複数の第２の吸着タンクは、互いに並列に接続されている、二酸化炭素施用装置。
【請求項４】
請求項２に記載の二酸化炭素施用装置であって、
前記複数の第２の吸着タンクは、互いに直列に接続されている、二酸化炭素施用装置。
【請求項５】
請求項１から請求項４までのいずれか１項に記載の二酸化炭素施用装置であって、
前記流路は、当該流路の分岐部において第１分岐流路及び第２分岐流路に分岐し、前記第１分岐流路及び前記第２分岐流路は、前記分岐部の下流に位置する合流部で合流し、
前記複数の吸着タンクは、前記第１分岐流路に設けられ、
前記燃焼排ガスが前記第１分岐流路を流れる第１切替え状態と、前記燃焼排ガスが前記第２分岐流路を流れる第２切替え状態と、に切り替わる切替え部と、
前記切替え部を制御するように構成される制御部と、
を更に備え、
前記制御部は、
前記複数の吸着タンクにおける前記二酸化炭素の吸着量が増加してあらかじめ設定された基準に達したか否かを判定するように構成される判定部と、
前記判定部により前記吸着量が前記基準に達していないと判定された場合、前記切替え部を前記第１切替え状態とし、前記判定部により前記吸着量が前記基準に達したと判定された場合、前記切替え部を前記第２切替え状態とするように構成される切替え処理部と、
を備える、二酸化炭素施用装置。
【発明の詳細な説明】
【技術分野】
【０００１】
本開示は、二酸化炭素施用装置に関する。
【背景技術】
【０００２】
園芸植物の収率及び品質を向上させるため、二酸化炭素を農業用ハウス内に施用する二酸化炭素施用装置が公知である。一方で、農業用ハウスには、夜間の気温低下を防止するための加温機が設けられる。加温機は、重油や灯油等を燃焼して温風を農業用ハウスに供給する。
【０００３】
そこで、加温機から発生する燃焼排ガス中の二酸化炭素を回収及び貯留し、貯留した二酸化炭素を農業用ハウス内に供給する二酸化炭素施用装置が考案されている（特許文献１参照）。
【０００４】
特許文献１記載の二酸化炭素施用装置は、燃焼排ガス中の窒素酸化物などの有害物質を除去する浄化装置と、浄化装置の下流に設けられ、燃焼排ガス中の二酸化炭素を吸着する活性炭などの吸着材が内部に配置された複数の吸着タンクと、を備える。複数の吸着タンクは、互いに並列に接続されている。
【先行技術文献】
【特許文献】
【０００５】
【特許文献１】特開２０１５−１２６７０８号公報
【発明の概要】
【発明が解決しようとする課題】
【０００６】
特許文献１記載の二酸化炭素施用装置において、仮に燃焼排ガス中に含まれる有害物質が浄化装置で完全に除去されなかった場合、有害物質を含む燃焼排ガスが複数の吸着タンク内に流入し、複数の吸着タンクが有害物質で汚染される。その結果、複数の吸着タンクのすべてをメンテナンスする必要性が発生し、メンテナンス工数が多大になるという問題があった。
【０００７】
本開示の一局面は、複数の吸着タンクのメンテナンス工数の増加を抑制できる二酸化炭素施用装置を提供することを目的としている。
【課題を解決するための手段】
【０００８】
本開示の一態様は、燃焼排ガスに含まれる二酸化炭素を農業用ハウス内に供給するように構成される二酸化炭素施用装置であって、複数の吸着タンクと、流路と、を備える二酸化炭素施用装置である。複数の吸着タンクは、燃焼排ガス中の二酸化炭素を吸着する吸着材が内部に配置されたタンクである。流路は、燃焼排ガスを複数の吸着タンクに供給し、複数の吸着タンクを通過した燃焼排ガスを複数の吸着タンクの下流側に供給する流路である。複数の吸着タンクは、第１の吸着タンクと、少なくとも１つ以上の第２の吸着タンクと、から構成されている。第１の吸着タンクは、流路において少なくとも１つ以上の第２の吸着タンクの上流に配置されている。
【０００９】
このような構成によれば、燃焼排ガスは、第１の吸着タンクを通過してから少なくとも１つ以上の第２の吸着タンクに流入する。したがって、主として有害物質で汚染されるのは第１の吸着タンクである。このため、第１の吸着タンクをメンテナンスすればよいため、複数の吸着タンクのすべてが並列に接続された場合と比較して、メンテナンス工数の増加を抑制できる。
【００１０】
本開示の一態様は、少なくとも１つ以上の第２の吸着タンクが、複数の第２の吸着タンクであってもよい。
このような構成によれば、本開示の一態様が第２の吸着タンクを１つしか備えない場合と比較して、より多くの二酸化炭素を吸着し、蓄積することができる。
本開示の一態様は、複数の第２の吸着タンクが、互いに並列に接続されていてもよい。
このような構成によれば、複数の第２の吸着タンクが互いに直列に接続されている場合と比較して、燃焼排ガスが通過する流路の断面積が大きくなる。よって、燃焼排ガスが複数の吸着タンクを通過しやすくできる。
【００１１】
本開示の一態様は、複数の第２の吸着タンクが、互いに直列に接続されていてもよい。
仮に複数の第２の吸着タンクが互いに並列に接続されている場合において、有害物質による汚染が第１の吸着タンクで止まらないときには、複数の第２の吸着タンクが有害物質で一斉に汚染される可能性がある。これに対して、上記構成によれば、有害物質による汚染が第１の吸着タンクで止まらないときでも、複数の第２の吸着タンクのうち上流に配置されている吸着タンクで汚染が止まりやすくなる。よって、複数の第２の吸着タンクが互いに並列に接続されている場合と比較して、メンテナンス工数の増加を抑制できる。
【００１２】
本開示の一態様は、以下の構成であってもよい。すなわち、流路は、当該流路の分岐部において第１分岐流路及び第２分岐流路に分岐する。第１分岐流路及び第２分岐流路は、分岐部の下流に位置する合流部で合流する。複数の吸着タンクは、第１分岐流路に設けられる。そして、本開示の一態様は、切替え部と、制御部と、を更に備える。切替え部は、燃焼排ガスが第１分岐流路を流れる第１切替え状態と、燃焼排ガスが第２分岐流路を流れる第２切替え状態と、に切り替わる。制御部は、切替え部を制御するように構成される。制御部は、判定部と、切替え処理部と、を備える。判定部は、複数の吸着タンクにおける二酸化炭素の吸着量が増加してあらかじめ設定された基準に達したか否かを判定するように構成される。切替え処理部は、判定部により吸着量が基準に達していないと判定された場合、切替え部を第１切替え状態とし、判定部により吸着量が基準に達したと判定された場合、切替え部を第２切替え状態とするように構成される。
【００１３】
このような構成によれば、二酸化炭素の吸着量が基準に達した場合、燃焼排ガスの流れをショートカットできる。
【図面の簡単な説明】
【００１４】
【図１】図１は、第１実施形態の二酸化炭素施用装置の構成を示す図である。
【図２】図２は、切替え処理のフローチャートである。
【図３】図３は、第２実施形態の二酸化炭素施用装置の構成を示す図である。
【発明を実施するための形態】
【００１５】
以下、図面を参照しながら、本開示を実施するための形態を説明する。
［１．第１実施形態］
［１−１．構成］
図１に示す二酸化炭素施用装置１００は、燃焼排ガスに含まれる二酸化炭素を回収し、農業用ハウスＡ内に供給するための装置である。
【００１６】
二酸化炭素施用装置１００は、燃焼装置２と、液体貯留タンク３と、ブロワ４と、熱交換器５と、複数（この例では４つ）の吸着タンク６ａ〜６ｄと、第１の濃度センサ７ａと、第２の濃度センサ７ｂと、切替え部８と、制御部９と、を備える。
【００１７】
また、二酸化炭素施用装置１００は、排ガス流路１１と、取込流路１２と、排出流路１３と、施用空気流路１４と、開閉弁１５と、を備える。
＜燃焼装置＞
燃焼装置２は、主に夜間、重油や灯油等の燃料を燃焼させ、農業用ハウスＡ内の空気を温める装置である。燃焼により発生した燃焼排ガスは、煙突である排ガス流路１１を介して農業用ハウスＡ外に排出される。
【００１８】
＜液体貯留タンク＞
液体貯留タンク３は、燃焼装置２から発生した燃焼排ガスの一部を、内部に貯留した液体Ｌによって冷却及び浄化するためのタンクである。
【００１９】
液体貯留タンク３には、取込流路１２が接続されており、取込流路１２から液体Ｌ中に燃焼排ガスが供給される。取込流路１２は、排ガス流路１１に接続され、燃焼排ガスが取り込まれる。液体Ｌ中を通過した燃焼排ガスは、排出流路１３に流入し、吸着タンク６ａ〜６ｄに取り込まれる。
【００２０】
液体貯留タンク３に貯留される液体Ｌとしては、燃焼排ガス中に含まれる窒素酸化物や硫黄酸化物等の有害物質を除去できるものが好ましい。例えば、窒素酸化物や硫黄酸化物と反応する化合物の水溶液が液体Ｌとして好適に使用できる。
【００２１】
＜排出流路＞
液体貯留タンク３には、排出流路１３が接続されている。排出流路１３は、液体貯留タンク３を通過した燃焼排ガスを農業用ハウスＡ外に排出する。また、排出流路１３は、燃焼排ガスに含まれる二酸化炭素を農業用ハウスＡ内に供給する。
【００２２】
具体的には、排出流路１３は、当該排出流路１３の途中の分岐部１３ａにおいて第１分岐流路１３ｂ及び第２分岐流路１３ｃに分岐する。第１分岐流路１３ｂ及び第２分岐流路１３ｃは、分岐部１３ａの下流に位置する合流部１３ｄで合流する。第２分岐流路１３ｃは、第１分岐流路１３ｂよりも分岐部１３ａから合流部１３ｄまでの流路長さが短い。また、排出流路１３は、合流部１３ｄの下流で２つの流路に分岐している。２つの流路のうち一方は、排出口αから燃焼排ガスを農業用ハウスＡ外に排出する。２つの流路のうち他方は、供給口βから燃焼排ガスに含まれる二酸化炭素を農業用ハウスＡ内に供給する。なお、図示しない弁によって、二酸化炭素の吸着工程では排出口αから燃焼排ガスが排出されるように、二酸化炭素の施用工程では供給口βから二酸化炭素が供給されるように流路が切り替えられる。
【００２３】
＜ブロワ＞
ブロワ４は、燃焼排ガスを液体貯留タンク３内の液体Ｌに通過させて吸着タンク６ａ〜６ｄ又は農業用ハウスＡ内に送るために、燃焼排ガスを吸引し、液体貯留タンク３を通過した燃焼排ガスを農業用ハウスＡ内若しくは農業用ハウスＡ外に導く機器（いわゆる吸引器）である。ブロワ４は、二酸化炭素の吸着時に運転され、吸着を停止する際に運転が停止される。ブロワ４は、排出流路１３における分岐部１３ａよりも上流に設けられている。
【００２４】
二酸化炭素の吸着工程では、ブロワ４の運転により、液体貯留タンク３内が負圧となり、燃焼装置２で発生した燃焼排ガスが液体貯留タンク３を経由して吸着タンク６ａ〜６ｄに圧送される。
【００２５】
＜熱交換器＞
熱交換器５は、取込流路１２に設けられ、液体貯留タンク３に供給される取込流路１２内の燃焼排ガスを冷却する。熱交換器５の冷媒は特に限定されない。
【００２６】
＜吸着タンク＞
複数の吸着タンク６ａ〜６ｄは、燃焼排ガス中の二酸化炭素を吸着する吸着材が内部に配置されたタンクである。吸着タンク６ａ〜６ｄは、排出流路１３、具体的には、第１分岐流路１３ｂに設けられる。
【００２７】
吸着材としては、例えば活性炭、ゼオライト等の多孔質材料などが使用できる。なお、本実施形態では、吸着材として、二酸化炭素及び窒素酸化物や硫黄酸化物等の有害物質を吸着可能な吸着材（活性炭等）が使用される。
【００２８】
複数の吸着タンク６ａ〜６ｄは、第１の吸着タンク６ａと、３つの第２の吸着タンク６ｂ〜６ｄと、から構成されている。第１の吸着タンク６ａは、排出流路１３において複数の吸着タンク６ａ〜６ｄのうち最も上流に配置された吸着タンクである。一方、第２の吸着タンク６ｂ〜６ｄは、複数の吸着タンク６ａ〜６ｄのうち第１の吸着タンク６ａ以外の吸着タンクである。つまり、第１の吸着タンク６ａは、排出流路１３において３つの第２の吸着タンク６ｂ〜６ｄの上流に配置されている。３つの第２の吸着タンク６ｂ〜６ｄは、互いに並列に接続されている。
【００２９】
具体的には、第１分岐流路１３ｂにおける第１の吸着タンク６ａから第２の吸着タンク６ｂ〜６ｄへと向かう流路は、３つの流路に分岐している。そして、３つの流路は、３つの第２の吸着タンク６ｂ〜６ｄにそれぞれ接続されている。そして、３つの流路は、３つの第２の吸着タンク６ｂ〜６ｄの下流であって合流部１３ｄよりも上流で合流している。
【００３０】
二酸化炭素の吸着工程では、ブロワ４によって供給された燃焼排ガスが吸着タンク６ａ〜６ｄに供給される。燃焼排ガスは、まず第１の吸着タンク６ａを通過し、その後第２の吸着タンク６ｂ〜６ｄを通過する。燃焼排ガスが吸着タンク６ａ〜６ｄを通過することで、燃焼排ガス中の二酸化炭素が吸着材に吸着される。そして、吸着タンク６ａ〜６ｄを通過した燃焼排ガスは、排出口αを介して農業用ハウスＡ外に排出される。
【００３１】
一方、二酸化炭素の施用工程では、施用空気流路１４から施用空気が吸着タンク６ａ〜６ｄ内に供給され、吸着材から二酸化炭素が脱離される。脱離した二酸化炭素は、排出流路１３の供給口βを介して農業用ハウスＡ内に施用される。
【００３２】
なお、施用空気流路１４は、分岐部１３ａよりも上流で排出流路１３に接続されている。施用空気流路１４の一方の端部は排出流路１３に接続されている。施用空気流路１４の他方の端部は大気に開放している。
施用空気流路１４から流入した施用空気の流入圧力は、液体貯留タンク３の液面を押し下げる圧力よりも小さいため、施用空気は排出流路１３に導かれる。
【００３３】
開閉弁１５は、施用空気流路１４に設けられる。開閉弁１５は、施用空気流路１４による施用空気の供給時に開けられる。開閉弁１５としては、例えばソレノイド弁を用いることができる。
【００３４】
＜濃度センサ＞
第１の濃度センサ７ａは、排出流路１３の第１分岐流路１３ｂにおいて吸着タンク６ａ〜６ｄの上流に設けられる。第１の濃度センサ７ａは、吸着タンク６ａ〜６ｄに流入する燃焼排ガスに含まれる二酸化炭素の濃度を検出する。第１の濃度センサ７ａは、検出結果を示す信号を信号線１６ａを介して制御部９に送信する。
【００３５】
第２の濃度センサ７ｂは、排出流路１３の第１分岐流路１３ｂにおいて吸着タンク６ａ〜６ｄの下流に設けられる。詳細には、第２の濃度センサ７ｂは、第１分岐流路１３ｂにおける第２の吸着タンク６ｂ〜６ｄを通過する３つの流路が１つの流路に合流する合流部の下流に設けられる。第２の濃度センサ７ｂは、吸着タンク６ａ〜６ｄから流出した燃焼排ガスに含まれる二酸化炭素の濃度を検出する。第２の濃度センサ７ｂは、検出結果を示す信号を信号線１６ｂを介して制御部９に送信する。
【００３６】
後述するように、濃度センサ７ａ，７ｂは、複数の吸着タンク６ａ〜６ｄにおける二酸化炭素の吸着量を検出するために使用される。
＜切替え部＞
切替え部８は、分岐部１３ａに設けられる。切替え部８は、燃焼排ガスが第１分岐流路１３ｂを流れる第１切替え状態と、燃焼排ガスが第２分岐流路１３ｃを流れる第２切替え状態と、に選択的に切り替わる。切替え部８は、制御部９により制御される。
【００３７】
＜制御部＞
制御部９は、ＣＰＵと、ＲＡＭ、ＲＯＭ、フラッシュメモリ等の半導体メモリ（以下、メモリ）と、を有する周知のマイクロコンピュータを中心に構成される。制御部９の各種機能は、ＣＰＵが非遷移的実体的記憶媒体に格納されたプログラムを実行することにより実現される。この例では、メモリが、プログラムを格納した非遷移的実体的記憶媒体に該当する。
【００３８】
制御部９は、二酸化炭素施用装置１００の運転を制御する。具体的には、制御部９は、信号線１６ｃを介してブロワ４の運転及び停止を制御し、信号線１６ｄを介して開閉弁１５の開閉を制御する。また、制御部９は、濃度センサ７ａ，７ｂから取得した検出結果に基づき、信号線１６ｅを介して切替え部８を制御する。
【００３９】
詳細には、メモリに格納された上記プログラムの実行により、後述する図２に示す切替え処理が実行される。そして、切替え処理の実行により、切替え部８を制御する制御信号が信号線１６ｅを介して切替え部８に送信され、切替え部８の切替え状態が切り替わる。
【００４０】
［１−２．処理］
次に、制御部９が実行する切替え処理について、図２のフローチャートを用いて説明する。なお、切替え処理は、二酸化炭素施用装置１００の運転中において周期的に実行される。
【００４１】
まず、Ｓ１０１で、制御部９は、第１の濃度センサ７ａ及び第２の濃度センサ７ｂから検出結果を取得する。
続いて、Ｓ１０２で、制御部９は、吸着タンク６ａ〜６ｄにおける二酸化炭素の吸着量が増加してあらかじめ設定された基準（以下、設定基準）に達したか否かを判定する。ここでいう吸着タンク６ａ〜６ｄにおける二酸化炭素の吸着量は、各吸着タンク６ａ〜６ｄの二酸化炭素の吸着量の総和を意味する。また、本実施形態では、設定基準は、各吸着タンク６ａ〜６ｄにおける吸着量の上限の総和である。
【００４２】
具体的には、Ｓ１０２では、制御部９は、第１の濃度センサ７ａにより検出された二酸化炭素の濃度と、第２の濃度センサ７ｂにより検出された二酸化炭素の濃度と、の差分を算出する。そして、制御部９は、算出した濃度差が所定値以下であるか否かを判定する。
【００４３】
制御部９は、算出した濃度差が所定値以下であると判定した場合、吸着タンク６ａ〜６ｄにおける吸着量が設定基準に達したと判定する。
一方、制御部９は、算出した濃度差が所定値よりも大きいと判定した場合、吸着タンク６ａ〜６ｄにおける吸着量が設定基準に達していないと判定する。
【００４４】
制御部９は、Ｓ１０２で吸着タンク６ａ〜６ｄにおける吸着量が設定基準に達していないと判定した場合には、Ｓ１０３へ移行し、切替え部８を第１切替え状態とした後、図２の切替え処理を終了する。
【００４５】
すなわち、制御部９は、吸着量が上限に達していないと判定した場合、燃焼排ガスが吸着タンク６ａ〜６ｄを通過するように切替え部８を制御する。
一方、制御部９は、Ｓ１０２で吸着タンク６ａ〜６ｄにおける吸着量が設定基準に達したと判定した場合には、Ｓ１０４へ移行し、切替え部８を第２切替え状態とした後、図２の切替え処理を終了する。
【００４６】
すなわち、制御部９は、吸着量が上限に達したと判定した場合、燃焼排ガスが吸着タンク６ａ〜６ｄを通過することなく農業用ハウスＡ内及び農業用ハウスＡ外に供給されるように切替え部８を制御する。
【００４７】
［１−３．効果］
以上詳述した第１実施形態によれば、以下の効果が得られる。
（１）第１の吸着タンク６ａは、排出流路１３において第２の吸着タンク６ｂ〜６ｄの上流に配置されている。よって、燃焼排ガスは、第１の吸着タンク６ａを通過してから第２の吸着タンク６ｂ〜６ｄに流入する。したがって、仮に燃焼排ガスに含まれる有害物質が液体貯留タンク３で完全に除去されなかった場合、主として有害物質で汚染されるのは第１の吸着タンク６ａである。このため、第１の吸着タンク６ａをメンテナンスすればよいため、複数の吸着タンク６ａ〜６ｄのすべてが並列に接続された場合と比較して、メンテナンス工数の増加を抑制できる。
【００４８】
（２）本実施形態では、二酸化炭素施用装置１００は、複数の第２の吸着タンク６ｂ〜６ｄを備える。
したがって、二酸化炭素施用装置が第２の吸着タンクを１つしか備えない場合と比較して、より多くの二酸化炭素を吸着し、蓄積することができる。
（３）本実施形態では、複数の第２の吸着タンク６ｂ〜６ｄは、互いに並列に接続されている。複数の第２の吸着タンク６ｂ〜６ｄが互いに直列に接続されている場合と比較して、燃焼排ガスが通過する流路の断面積が大きくなる。よって、燃焼排ガスが複数の吸着タンク６ａ〜６ｄを通過しやすくできる。ひいては、燃焼排ガスを吸着タンク６ａ〜６ｄに流入させるためブロワ４に供給するエネルギーを押さえることができる。
【００４９】
（４）制御部９は、吸着タンク６ａ〜６ｄにおける二酸化炭素の吸着量が設定基準に達していないと判定した場合、切替え部８を第１切替え状態として燃焼排ガスが第１分岐流路１３ｂを通過するようにする。一方、制御部９は、吸着量が設定基準に達したと判定された場合、切替え部８を第２切替え状態として燃焼排ガスが第２分岐流路１３ｃを通過するようにする。
【００５０】
したがって、二酸化炭素の吸着量が設定基準（上限）に達した場合、燃焼排ガスの流れをショートカットできる。
なお、本実施形態では、排ガス流路１１、取込流路１２及び排出流路１３からなる流路が特許請求の範囲の「流路」に相当する。また、Ｓ１０２が判定部としての処理に相当し、Ｓ１０３及びＳ１０４が切替え処理部としての処理に相当する。
【００５１】
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００５２】
前述した第１実施形態の二酸化炭素施用装置１００では、第２の吸着タンク６ｂ〜６ｄは互いに並列に接続される。これに対し、図３に示す第２実施形態の二酸化炭素施用装置２００では、第２の吸着タンク６ｂ〜６ｄは互いに直列に接続される点で、第１実施形態と相違する。
【００５３】
具体的には、第１分岐流路１３ｂにおける第１の吸着タンク６ａから第２の吸着タンク６ｂ〜６ｄへと向かう流路は分岐することなく合流部１３ｄに至る。そして、第２の吸着タンク６ｂ〜６ｄは、第１分岐流路１３ｂにおいて順に設けられている。
【００５４】
［２−２．効果］
以上に述べた第２実施形態によれば、前述した第１実施形態の効果（１）〜（４）に加え、以下の効果が得られる。
【００５５】
本実施形態では、複数の第２の吸着タンク６ｂ〜６ｄは、互いに直列に接続されている。
仮に複数の第２の吸着タンク６ｂ〜６ｄが互いに並列に接続されている場合において、窒素酸化物などの有害物質による汚染が第１の吸着タンク６ａで止まらないときには、複数の第２の吸着タンク６ｂ〜６ｄが有害物質で一斉に汚染される可能性がある。
【００５６】
これに対して、本実施形態の構成によれば、有害物質による汚染が第１の吸着タンク６ａで止まらないときでも、複数の第２の吸着タンク６ｂ〜６ｄのうち上流に配置されている吸着タンク６ｂで汚染が止まりやすくなる。よって、複数の第２の吸着タンク６ｂ〜６ｄが互いに並列に接続されている場合と比較して、メンテナンス工数の増加を抑制できる。
【００５７】
また、一般に、吸着タンクの断面積に対して、その吸着タンクの長手方向の距離が長いほど二酸化炭素の吸収効率は高いため、複数の第２の吸着タンク６ｂ〜６ｄが互いに並列に接続されている場合と比較して、二酸化炭素の吸収効率を向上させることができる。
【００５８】
［３．他の実施形態］
以上、本開示を実施するための形態について説明したが、本開示は上述の実施形態に限定されることなく、種々変形して実施することができる。
【００５９】
（１）上記各実施形態では、二酸化炭素施用装置１００，２００は３つの第２の吸着タンク６ｂ〜６ｄを備えているが、第２の吸着タンクの数はこれに限られるものではない。第２の吸着タンクの数は１つでもよい。また、第２の吸着タンクの数は３以外の複数でもよい。
【００６０】
（２）複数の第２の吸着タンクのうち、一部の吸着タンクを互いに並列に接続し、他の一部の吸着タンクを互いに直列に接続してもよい。つまり、複数の第２の吸着タンクは、直列接続と並列接続との両方を用いて接続してもよい。
【００６１】
（３）上記各実施形態において、設定基準は、吸着タンク６ａ〜６ｄにおける二酸化炭素の吸着量の上限でなくてもよい。例えば、設定基準は、上限以外のあらかじめ設定された所定基準であってもよい。
【００６２】
また、上記各実施形態では、各吸着タンク６ａ〜６ｄの二酸化炭素の吸着量の総和に基づき、切替え部８を切り替えるための判定が行われるが、判定に使用される吸着量はこれに限られるものではない。例えば、複数の吸着タンク６ａ〜６ｄのいずれか１つの吸着量に基づき、判定が行われてもよい。つまり、複数の吸着タンク６ａ〜６ｄのうちの少なくとも１つの吸着タンクの吸着量に基づき、判定が行われてもよい。
【００６３】
また、上記各実施形態において、吸着タンク６ａ〜６ｄの少なくとも１つの内部に濃度センサを設置して二酸化炭素の濃度が検出されてもよい。
（４）上記実施形態では、排出流路１３は第１分岐流路１３ｂ及び第２分岐流路１３ｃに分岐するが、排出流路はこれに限られるものではない。排出流路１３は第１分岐流路１３ｂ及び第２分岐流路１３ｃに分岐していなくてもよい。
【００６４】
（５）上記各実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記各実施形態の構成の一部を省略してもよい。また、上記各実施形態の構成の少なくとも一部を、他の上記各実施形態の構成に対して付加又は置換してもよい。なお、特許請求の範囲に記載した文言によって特定される技術思想に含まれるあらゆる態様が本開示の実施形態である。
【符号の説明】
【００６５】
２…燃焼装置、３…液体貯留タンク、４…ブロワ、５…熱交換器、
６ａ…第１の吸着タンク、６ｂ〜６ｄ…第２の吸着タンク、１１…排ガス流路、
１２…取込流路、１３…排出流路、１００，２００…二酸化炭素施用装置。
【図１】
2019041639.tif 000003
【図２】
2019041639.tif 000004
【図３】
2019041639.tif 000005